(57)【特許請求の範囲】
【請求項１】
機器の後面と側面を覆う形態のバー型(ストレート型)携帯用端末機カバーにおいて、
機器２の後面に接する本体部と機器の両側面を覆う側壁部３０とで形成され、上記本体部１０と両側壁部３０との間、または本体部１０の中央に弾性部２０が備えられ、
上記側壁部３０には機器の角を覆うために曲面に形成される角部３１が長さ方向に両端に伸長形成され、
上記弾性部２０は"〕"状または"Ｖ"状凹溝で形成され、内表面１ｂまたは外表面１ｃの中の一面以上に形成されることを特徴とする弾性部が備えられたバー型携帯用端末機カバー。
【請求項２】
上記本体部１０、弾性部２０および側壁部３０は、長さ方向の両側先端部１ａが湾曲形成され、
上記側壁部３０は断面上に中央部３０ａがふくらんでいる曲面状に形成されることを特徴とする請求項１に記載の弾性部が備えられたバー型携帯用端末機カバー。
【請求項３】
上記弾性部２０は本体部１０および側壁部３０との間、または本体部の中央に長さ方向に平行した谷状に凹入形成されることを特徴とする請求項１に記載の弾性部が備えられたバー型携帯用端末機カバー。
【請求項４】
上記弾性部２０は、本体部１０と側壁部３０との間に長さ方向と幅方向に平行した谷状に凹入形成され、また、上記弾性部２０は角部を覆う'Ｌ'状の谷状に形成されることを特徴とする請求項１に記載の弾性部が備えられたバー型携帯用端末機カバー。
【請求項５】
上記本体部１０において弾性部２０が凹入段差形成され、上記側壁部３０は弾性部２０より薄いか、または同じ厚さで統合形成されることを特徴とする請求項１または請求項２に記載の弾性部が備えられたバー型携帯用端末機カバー。
【発明の詳細な説明】
【技術分野】
【０００１】
本発明は、弾性部を備え着脱自在であり、且つ角部が機器の角を完全に覆うすらりとした形態が可能であるため、汚染発生を引き起こす切り溝を排除すると共に機器保護性能が向上し、スマートで美麗な外観を持ち、製品の品質特性を顕著に向上させる弾性部が備えられたバー型携帯用端末機カバーに関するものである。
【背景技術】
【０００２】
携帯電話、携帯用ゲーム機などの携帯用端末機は、無線通信サービスの提供を受けるための現代人の必須品として定着しており、機能はもちろん、外観上の流行パターンに消費者の選好が非常に敏感に作用するため、様々な形態に開発されている。
【０００３】
携帯用端末機は、本体とディスプレイ部の結合および開閉方式により、折りたたみ型、フリッパー型、スライド型、スイング型、これら形態の複合型、ストレート型(ここでは'バー型'とする)などに分けられるが、機器の保護機能と共に飾り機能を有する携帯用端末機カバーが装着使用されている。
【０００４】
上記携帯用端末機カバーは、ディスプレイ部を覆わない条件下で機器を覆う形態で構成され、流行に敏感な特性を有し、交替およびリフォームなどのために脱着自在であることが要求される。
【０００５】
一方、端末機本体の前面にディスプレイパネルが結合される上記バー型(Ｂａｒ ｔｙｐｅ)携帯用端末機は、近年、スリム化がさらに強化され、角部および周りの側面が丸いラウンド状に形成されたデザインが好まれている傾向にある。
【０００６】
このようなバー型携帯用端末機カバーは、前面カバーと後面カバーからなる他の携帯用端末機カバーとは異なり、ディスプレイパネルが位置する前面が開放され、後面と周りの側面を取り囲む単一体に構成されるが、従来技術として韓国実用新案登録第０４３７８８５号などがある。
【０００７】
上記従来技術１００は、図１３に示すように、側壁１３０の角部分１３１に弾性用切り溝１２０を形成して構成されることにより、本体部１１０から角部分が折り曲げ可能であり、着脱を容易にしたものである。
【０００８】
ところで、このような従来技術１００は、角部分に上記切り溝１２０による隙間が形成されることにより、異物が入り込んで固着するなど汚染が発生するのみでなく、これにより外観を損傷させるという問題点があった。
【０００９】
また、上記切り溝１２０によって携帯用端末機の角の一部が露出することによって、この部分に衝撃が加えられた場合には損傷が発生し、機器保護の品質特性を低下させるという問題点があった。
【発明の開示】
【発明が解決しようとする課題】
【００１０】
本発明は、上記の問題点を解消するために完成されたものであり、本発明の目的は、弾性部を備え着脱自在であり、且つ角部が機器の角を完全に覆うすらりとした形態が可能であるため、汚染発生を引き起こす切り溝を排除すると共に機器保護性能が向上し、スマートで美麗な外観を持ち、製品の品質特性を顕著に向上させる弾性部が備えられたバー型携帯用端末機カバーを提供することにある。
【課題を解決するための手段】
【００１１】
上記の目的を達成するために、本発明に係る弾性部が備えられたバー型(ストレート型)携帯用端末機カバーは、
機器の後面と側面を覆う形態のバー型携帯用端末機カバーにおいて、
機器の後面に接する本体部と機器の両側面を覆う側壁部とで形成され、上記本体部と両側壁部との間、または本体部の中央に弾性部が備えられ、
上記側壁部には機器の角を覆うために曲面に形成される角部が長さ方向に両端に伸長形成され、
上記弾性部は、本体部から変曲可能に凹入形成されてなることを特徴とする。
【発明の効果】
【００１２】
上記構成を有する本発明に係る弾性部が備えられたバー型携帯用端末機カバーは、弾性部を備え着脱自由であり、且つ角部が機器の角を完全に覆うすらりとした形態が可能であるため、汚染発生を引き起こす切り溝を排除すると共に機器保護性能が向上し、スマートで美麗な外観を持ち、製品の品質特性を顕著に向上する優れた効果がある。
【発明を実施するための最良の形態】
【００１３】
以下、本発明の弾性部が備えられたバー型携帯用端末機カバーについての実施例を添付図面を参照しながら詳しく説明する。本発明は、下記の実施例に限定されるものではない。
図１は本発明に係る一実施例の構成を示す斜視図であり、図２は図１の使用状態図であり、図３は図１の平面図であり、図４は図３のＡ-Ａ線の断面図であり、図５は図４に対応する他の実施例の断面図である。
【００１４】
図１〜図５に示すように、本発明に係る一実施例の弾性部が備えられたバー型携帯用端末機カバー１は、機器の後面と側面を覆う形態のバー型携帯用端末機カバーにおいて、機器２の後面に接する本体部と機器の両側面を覆う側壁部３０とで形成され、上記本体部１０と両側壁部３０との間、または本体部１０の中央に弾性部２０が備えられ、上記側壁部３０には機器の角を覆うために曲面に形成される角部３１が長さ方向に両端に伸長形成され、上記弾性部２０は、本体部１０から変曲可能に凹入形成されてなるものである。
【００１５】
ここで、上記本体部１０、弾性部２０および側壁部３０は、長さ方向の両側先端部１ａが湾曲形成され、上記側壁部３０は断面上に中央部３０ａがふくらんでいる曲面状に形成されることが好ましい。 
【００１６】
上記弾性部２０は"〕"状または"Ｖ"状凹溝で形成され、内表面１ｂまたは外表面１ｃの中の一面以上に形成される。
【００１７】
弾性部２０が"〕"状溝で形成される場合には両側が傾斜部２２に形成される。図４は上記弾性部２０の内表面１ｂが凹入形成されていることを示し、図５は内表面１ｂと外表面１ｃが凹入形成されていることを示す。
【００１８】
また、上記弾性部２０は本体部１０および側壁部３０との間(図１〜６参照)、または本体部の中央が(図７、８参照)長さ方向に平行した谷状に形成されることが好ましい。
【００１９】
本発明に係る一実施例として、上記弾性部２０は、本体部１０と側壁部３０との間が長さ方向と幅方向に平行した谷状に凹入形成され(図９参照)、または、上記弾性部２０は角部を覆う'Ｌ'状の谷状に形成することもできる(図１０参照)。
【００２０】
本発明に係る一実施例として、上記本体部１０において弾性部２０が凹入段差形成され、上記側壁部３０は弾性部２０より薄いか、または同じ厚さで統合形成することもできる(図１１、１２参照)。特に説明しない図面符号'ｔ１'は本体部の厚さ、'ｔ２'は弾性部の厚さ、'ｔ３'は側壁部の厚さである。
【００２１】
上記角部３１は機器の角に対応する半球型曲面に形成されることが好ましい。
上記弾性部２０が本体部と側壁部との間に形成される場合、弾性部の厚さ(ｔ２)は本体部の厚さ(ｔ１)よりも薄く形成されることが好ましい。
このような構成を有する本発明に係る弾性部が備えられたバー型携帯用端末機カバー１の作用状態を述べる。
【００２２】
本発明は、本体部１０と側壁部３０との間に変曲可能に弾性を持つ弾性部２０が形成されることによって、側壁部３０が半球型のような曲面からなり、機器の角を完全に覆う角部３１が一体に形成されるにもかかわらず、機器に対する脱着が容易に行われるようにしたものである。
【００２３】
すなわち、本体部１０と側壁部３０との間に厚みが形成される谷状の弾性部２０は、側壁部３０の一時的な屈曲、すなわち変曲を可能にする部としての機能する(図６参照)。
本発明は、このように上記弾性部２０によって機器に対して着脱自在であると共に、角部３１が機器の角を完全に覆うすらりとした形態で構成され、角部に衝撃が加えられた場合にも緩衝性能が強化され、機器保護機能が顕著に向上する。
また、従来技術において問題化されている切り溝を排除させることから、汚染を防止し、外観上、すらりとした曲面で完成されることにより、スマートで美麗な外観を持つために美麗さを重視する製品品質の高級化を達成する。
【図面の簡単な説明】
【００２４】
【図１】本発明に係る一実施例の構成を示す図である。
【図２】図１の使用状態図である。
【図３】図１の平面図である。
【図４】図３のＡ-Ａ線の断面図である。
【図５】図４に対応する他の実施例の断面図である。
【図６】弾性部の動作状態の断面図である。
【図７】本発明に係る一実施例の平面図である。
【図８】図７のＢ-Ｂ線の断面図である。
【図９】本発明に係る一実施例の平面図である。
【図１０】本発明に係る一実施例の平面図である。
【図１１】本発明に係る一実施例の平面図である。
【図１２】図１１のＣ-Ｃ線の断面図である。
【図１３】従来技術の構成図である。
【符号の説明】
【００２５】
１  本発明の弾性部が備えられたバー型携帯用端末機カバー
１０  本体部
２０  弾性部
３０  側壁部
３１  角部
【要約】
【課題】本発明は、弾性部を備え着脱自在であり、且つ角部が機器の角を完全に覆うすらりとした形態が可能であるため、汚染発生を引き起こす切り溝を排除すると共に機器保護性能が向上し、スマートで美麗な外観を持ち、製品の品質特性を顕著に向上させる弾性部が備えられたバー型携帯用端末機カバーに関するものである。
【解決手段】これを実現するために、本発明は、機器の後面と側面を覆う形態のバー型携帯用端末機カバーにおいて、機器の後面に接する本体部と機器の両側面を覆う側壁部とで形成され、上記本体部と両側壁部との間または本体部の中央に弾性部が備えられ、上記側壁部には機器の角を覆うために曲面に形成される角部が長さ方向に両端に伸長形成され、上記弾性部は、本体部から変曲可能に凹入形成されてなることを特徴とする。
【選択図】図１【図１】
0004263766.tif 000002
【図２】
0004263766.tif 000003
【図３】
0004263766.tif 000004
【図４】
0004263766.tif 000005
【図５】
0004263766.tif 000006
【図６】
0004263766.tif 000007
【図７】
0004263766.tif 000008
【図８】
0004263766.tif 000009
【図９】
0004263766.tif 000010
【図１０】
0004263766.tif 000011
【図１１】
0004263766.tif 000012
【図１２】
0004263766.tif 000013
【図１３】
0004263766.tif 000014